(57)【要約】【課題】停電などにより装置の電源が突然遮断した場合に、装置の電源が再び投入され、復旧処理に入る前に復旧処理に掛かる時間を表示すると共に、復旧処理中に残時間を表示できるようにした光ディスク記録再生装置を提供する。【解決手段】停電などにより電源が突然遮断されると、装置は動作が停止する。電源が再び投入されると、再度、光ディスクがローディングされ、光ディスクが立ち上げられる。この後、メモリから記録済みセクタのアドレス情報に対応した記録時間情報が読み出され、記録時間と復旧時間との関係を示す時間テーブルを参照して、前記読み出された記録時間情報に対応する復旧時間が算出される。復旧時間が算出された後、復旧時間がディスプレイ装置に表示される。そして、復旧処理が実行されると、復旧残時間が算出され、復旧残時間がディスプレイ装置に表示される。【選択図】図５
2007280501.tif 000002
【特許請求の範囲】
【請求項１】
光ディスクに対して情報の記録／再生を行う光ディスク記録再生装置において、
光ディスクにデータをＥＣＣブロック単位で記録しているときに、データが記録された記録済みセクタのアドレス情報と、記録済みセクタまでの記録時間を示す記録時間情報とを不揮発性メモリに格納するアドレス・記録時間情報格納手段と、
記録の際中に電源が遮断され、再び電源が投入されて、再度、光ディスクをローディングし直したときに、前記不揮発性メモリから電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、
前記算出された復旧時間を表示手段に表示させる復旧時間表示手段と、
前記復旧時間が所定時間以上である場合に復旧には時間が多く掛かると言うメッセージを表示手段に表示させる第１のメッセージ表示手段と、
復旧させる操作がされたときに復旧処理を開始させる復旧処理開始手段と、
復旧処理が開始された後、復旧処理過程で復旧処理が済んだ記録済みセクタのアドレス情報に対応した記録時間情報を前記不揮発性メモリから読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、
前記算出された復旧残時間を表示手段に表示させる復旧残時間表示手段と、
復旧処理が開始された後、復旧ができなかった場合に、復旧ができないと言うメッセージを表示手段に表示させる第２のメッセージ表示手段と、を有するシステムコントローラを備えたことを特徴とする光ディスク記録再生装置。
【請求項２】
光ディスクに対して情報の記録／再生を行う光ディスク記録再生装置において、
光ディスクにデータをＥＣＣブロック単位で記録しているときに、データが記録された記録済みセクタのアドレス情報と、記録済みセクタまでの記録時間を示す記録時間情報とを不揮発性メモリに格納するアドレス・記録時間情報格納手段と、
記録の際中に電源が遮断され、再び電源が投入されて、再度、光ディスクをローディングし直したときに、前記不揮発性メモリから電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、
前記算出された復旧時間を表示手段に表示させる復旧時間表示手段と、
復旧させる操作がされたときに復旧処理を開始させる復旧処理開始手段と、
復旧処理が開始された後、復旧処理過程で復旧処理が済んだ記録済みセクタのアドレス情報に対応した記録時間情報を前記不揮発性メモリから読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、
前記算出された復旧残時間を表示手段に表示させる復旧残時間表示手段と、を有するシステムコントローラを備えたことを特徴とする光ディスク記録再生装置。
【請求項３】
前記システムコントローラは、前記復旧時間が所定時間以上である場合に復旧には時間が多く掛かると言うメッセージを表示手段に表示させる第１のメッセージ表示手段と、前記復旧処理を開始させた後、復旧ができなかった場合に、復旧ができないと言うメッセージを表示手段に表示させる第２のメッセージ表示手段とを有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し、特に、停電などで電源が遮断され、この後、電源が投入されたときに行われる復旧処理の時間を表示させるための処理に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で何回か書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、およびＤＶＤ−ＲＡＭへの情報の記録は、光ディスク記録再生装置（ＤＶＤレコーダ）で記録可能である。
【０００３】
光ディスク記録再生装置では、ＤＶＤ−Ｒ、ＤＶＤ−ＲＷのような−系のＤＶＤや、ＤＶＤ＋Ｒ、ＤＶＤ＋ＲＷのような＋系のＤＶＤにデータを記録する場合に、データの記録中に記録エラーが発生すると、書き込みできないアドレスに対して所定回数リトライして、所定回数リトライしても書き込みできない時に、そのアドレスを飛ばして次のアドレスにデータを記録するようにしている。また、再生時には、前記記録エラーが発生したアドレスに対して所定回数リトライして、所定回数リトライしても読み出せない時に、そのアドレスを飛ばして次のアドレスからデータを読み出すようにしている。
【特許文献１】特開２０００−７６０４８号公報
【特許文献２】特開平１０−３４１３号公報
【発明の開示】
【発明が解決しようとする課題】
【０００４】
ところで、光ディスク記録再生装置において光ディスクに情報を記録中に、停電などにより装置の電源が突然遮断した場合、装置の動作は急に停止する。そして、この後、装置の電源が再び投入されると、光ディスク記録再生装置は復旧処理に入る。しかしながら、従来の光ディスク記録再生装置では、パーセントのバー表示で復旧処理の進捗状況を示すプログレスバーをディスプレイ装置に表示させているが、そのプログレスバーのバー表示が途中で進まなくなった場合には、ユーザは装置がハングアップしたと思って電源をオフするようなことがあり、このような場合、装置を復旧させることができなくなるという課題があった。即ち、従来の光ディスク記録再生装置では、復旧処理中にプログレスバーのバー表示が止まった場合、復旧処理を行っているにもかかわらず、ユーザから見れば、復旧処理が途中で停止したと勘違いして、装置の電源をオフするようなことがあり、このような場合には、装置を復旧させることができなくなる。
【０００５】
なお、特許文献１の従来技術は、パーソナルコンピュータなどの情報処理装置のプログラムメモリにアプリケーションプログラムをインストールするインストール制御装置において、アプリケーションインストールの累積時間の算出表示を行うと共に、インストール状況をパーセント表示するものであり、光ディスク記録再生装置において、停電などにより装置の電源が突然遮断した場合に、装置の電源が再び投入され、復旧処理に入ったときのパーセントのバー表示で復旧処理の進捗状況を示すプログレスバーをディスプレイ装置に表示させるものではない。
【０００６】
特許文献２の従来技術は、記録媒体からのインストール時においてファイルのコピーに要する必要時間を予測して、プログレスバーにて残時間表示を行っているが、この従来技術も、光ディスク記録再生装置において、停電などにより装置の電源が突然遮断した場合に、装置の電源が再び投入され、復旧処理に入ったときのパーセントのバー表示で復旧処理の進捗状況を示すプログレスバーをディスプレイ装置に表示させるものではない。
【０００７】
本発明は、上記のような課題を解決するためになされたもので、停電などにより装置の電源が突然遮断した場合に、装置の電源が再び投入され、復旧処理に入る前に復旧処理に掛かる時間を表示すると共に、復旧処理中に残時間を表示できるようにした光ディスク記録再生装置を提供することを目的とする。
【課題を解決するための手段】
【０００８】
上記目的を達成するために、請求項１の発明は、光ディスクにデータをＥＣＣブロック単位で記録しているときに、データが記録された記録済みセクタのアドレス情報と、記録済みセクタまでの記録時間を示す記録時間情報とを不揮発性メモリに格納するアドレス・記録時間情報格納手段と、記録の際中に電源が遮断され、再び電源が投入されて、再度、光ディスクをローディングし直したときに、前記不揮発性メモリから電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、前記算出された復旧時間を表示手段に表示させる復旧時間表示手段と、前記復旧時間が所定時間以上である場合に復旧には時間が多く掛かると言うメッセージを表示手段に表示させる第１のメッセージ表示手段と、復旧させる操作がされたときに復旧処理を開始させる復旧処理開始手段と、復旧処理が開始された後、復旧処理過程で復旧処理が済んだ記録済みセクタのアドレス情報に対応した記録時間情報を前記不揮発性メモリから読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、前記算出された復旧残時間を表示手段に表示させる復旧残時間表示手段と、復旧処理が開始された後、復旧ができなかった場合に、復旧ができないと言うメッセージを表示手段に表示させる第２のメッセージ表示手段と、を有するシステムコントローラを備えたことを特徴とする光ディスク記録再生装置を提供する。
【０００９】
この構成において、光ディスクに対する記録処理は、ＥＣＣブロック単位で記録しているので、データが記録されていくと、アドレス・記録時間情報格納手段は、データが記録された記録済みセクタのアドレス情報と、記録済みセクタまでの記録時間を示す記録時間情報とを不揮発性メモリに格納する。ここで、停電などにより光ディスク記録再生装置の電源が突然遮断されると、光ディスク記録再生装置は動作が停止する。電源が遮断しても、不揮発性メモリには、アドレス情報と記録時間情報が保持されているので、次に述べる復旧時間の算出のために、それらの情報を用いることができる。
【００１０】
電源が突然遮断された後、電源が再び投入されると、再度、光ディスクがローディングされ、光ディスクが立ち上げられる。そして、復旧時間算出手段は、不揮発性メモリから記録済みセクタのアドレス情報に対応した記録時間情報を読み出し、記録時間と復旧時間との関係を示す時間テーブルを参照して、前記読み出した記録時間情報に対応する復旧時間を算出する。復旧時間が算出された後、復旧時間表示手段は、前記復旧時間のデータを受け取り、表示手段に供給することにより、復旧時間が表示される。次に、第１のメッセージ表示手段は、前記復旧時間が所定時間以上である場合には、復旧は時間が多く掛かるので、復旧には時間が多く掛かると言うメッセージを表示手段に表示させる。
【００１１】
このように、復旧時間などが表示手段に表示された後、復旧操作がされると、復旧処理開始手段は、復旧処理を開始させる。復旧処理が実行されると、復旧残時間算出手段は、復旧処理過程で復旧処理が済んだ記録済みセクタのアドレス情報に対応した記録時間情報を不揮発性メモリから読み出し、前記時間テーブルを参照して前記読み出した記録時間情報に対応する復旧時間を復旧経過時間とし、前記復旧時間算出手段でされた復旧時間から前記復旧経過時間を引いて復旧残時間を算出する。そして、復旧残時間表示手段は、前記算出された復旧残時間を表示手段に表示させる。復旧処理が実行され、復旧ができた場合は、本処理は終了するが、復旧ができなかった場合には、第２のメッセージ表示手段は、復旧ができないと言うメッセージを表示手段に表示させる。
【００１２】
この構成によれば、停電などにより装置の電源が突然遮断した場合に、装置の電源が再び投入され、復旧処理に入る前に復旧処理に掛かる時間を表示できるようにしたので、ユーザは復旧処理にどれくらいの時間を要するかが前もって知ることができ、また、復旧処理中にプログレスバーのバー表示が止まった場合でも、復旧残時間の表示を見れば、復旧の処理中であるかが分かり、これにより、復旧処理を行っているにもかかわらず、ユーザから見れば、復旧処理が途中で停止したと勘違いして、装置の電源をオフするようなことがなくなり、装置を復旧させることができなくなることを防止することができる。
【００１３】
また、復旧時間が所定時間以上である場合に復旧には時間が多く掛かると言うメッセージが表示されるので、ユーザは復旧を行いたくない場合には復旧処理を解除するかどうかの判断が付き易くなる。また、復旧処理を開始させた後、復旧ができなかった場合には、復旧ができないと言うメッセージが表示されるので、ユーザは、当該装置は復旧ができないことを知ることができ、無駄な時間待ちを防ぐことができる。
【００１４】
請求項２の発明は、光ディスクにデータをＥＣＣブロック単位で記録しているときに、データが記録された記録済みセクタのアドレス情報と、記録済みセクタまでの記録時間を示す記録時間情報とを不揮発性メモリに格納するアドレス・記録時間情報格納手段と、記録の際中に電源が遮断され、再び電源が投入されて、再度、光ディスクをローディングし直したときに、前記不揮発性メモリから電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、前記算出された復旧時間を表示手段に表示させる復旧時間表示手段と、復旧させる操作がされたときに復旧処理を開始させる復旧処理開始手段と、復旧処理が開始された後、復旧処理過程で復旧処理が済んだ記録済みセクタのアドレス情報に対応した記録時間情報を前記不揮発性メモリから読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、前記算出された復旧残時間を表示手段に表示させる復旧残時間表示手段と、を有するシステムコントローラを備えたことを特徴とする光ディスク記録再生装置を提供する。
【００１５】
この構成において、光ディスクに対する記録処理は、ＥＣＣブロック単位で記録しているので、データが記録されていくと、アドレス・記録時間情報格納手段は、データが記録された記録済みセクタのアドレス情報と、記録済みセクタまでの記録時間を示す記録時間情報とを不揮発性メモリに格納する。ここで、停電などにより光ディスク記録再生装置の電源が突然遮断されると、光ディスク記録再生装置は動作が停止する。電源が遮断しても、不揮発性メモリには、アドレス情報と記録時間情報が保持されているので、次に述べる復旧時間の算出のために、それらの情報を用いることができる。
【００１６】
電源が突然遮断された後、電源が再び投入されると、再度、光ディスクがローディングされ、光ディスクが立ち上げられる。そして、復旧時間算出手段は、不揮発性メモリから記録済みセクタのアドレス情報に対応した記録時間情報を読み出し、記録時間と復旧時間との関係を示す時間テーブルを参照して、前記読み出した記録時間情報に対応する復旧時間を算出する。復旧時間が算出された後、復旧時間表示手段は、前記復旧時間のデータを受け取り、表示手段に供給することにより、復旧時間が表示される。
【００１７】
このように、復旧時間などが表示手段に表示された後、復旧操作がされると、復旧処理開始手段は、復旧処理を開始させる。復旧処理が実行されると、復旧残時間算出手段は、復旧処理過程で復旧処理が済んだ記録済みセクタのアドレス情報に対応した記録時間情報を不揮発性メモリから読み出し、前記時間テーブルを参照して前記読み出した記録時間情報に対応する復旧時間を復旧経過時間とし、前記復旧時間算出手段でされた復旧時間から前記復旧経過時間を引いて復旧残時間を算出する。そして、復旧残時間表示手段は、前記算出された復旧残時間を表示手段に表示させる。
【００１８】
この構成によれば、停電などにより装置の電源が突然遮断した場合に、装置の電源が再び投入され、復旧処理に入る前に復旧処理に掛かる時間を表示できるようにしたので、ユーザは復旧処理にどれくらいの時間を要するかが前もって知ることができ、また、復旧処理中にプログレスバーのバー表示が止まった場合でも、復旧残時間の表示を見れば、復旧の処理中であるかが分かり、これにより、復旧処理を行っているにもかかわらず、ユーザから見れば、復旧処理が途中で停止したと勘違いして、装置の電源をオフするようなことがなくなり、装置を復旧させることができなくなることを防止することができる。
【００１９】
請求項３に発明では、請求項２の発明において、前記システムコントローラは、前記復旧時間が所定時間以上である場合に復旧には時間が多く掛かると言うメッセージを表示手段に表示させる第１のメッセージ表示手段と、前記復旧処理を開始させた後、復旧ができなかった場合に、復旧ができないと言うメッセージを表示手段に表示させる第２のメッセージ表示手段とを有するので、復旧時間が所定時間以上である場合に復旧には時間が多く掛かると言うメッセージが表示され、これにより、ユーザは復旧を行いたくない場合には復旧処理を解除するかどうかの判断が付き易くなる。また、復旧処理を開始させた後、復旧ができなかった場合には、復旧ができないと言うメッセージが表示されるので、ユーザは、当該装置は復旧ができないことを知ることができ、無駄な時間待ちを防ぐことができる。
【発明の効果】
【００２０】
以上のように本発明によれば、光ディスクにデータをＥＣＣブロック単位で記録しているときに、データが記録された記録済みセクタのアドレス情報と、記録済みセクタまでの記録時間を示す記録時間情報とを不揮発性メモリに格納するアドレス・記録時間情報格納手段と、記録の際中に電源が遮断され、再び電源が投入されて、再度、光ディスクをローディングし直したときに、前記不揮発性メモリから電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、前記算出された復旧時間を表示手段に表示させる復旧時間表示手段と、前記復旧時間が所定時間以上である場合に復旧には時間が多く掛かると言うメッセージを表示手段に表示させる第１のメッセージ表示手段と、復旧させる操作がされたときに復旧処理を開始させる復旧処理開始手段と、復旧処理が開始された後、復旧処理過程で復旧処理が済んだ記録済みセクタのアドレス情報に対応した記録時間情報を前記不揮発性メモリから読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、前記算出された復旧残時間を表示手段に表示させる復旧残時間表示手段と、復旧処理が開始された後、復旧ができなかった場合に、復旧ができないと言うメッセージを表示手段に表示させる第２のメッセージ表示手段と、を有するシステムコントローラを備えたので、停電などにより装置の電源が突然遮断した場合に、装置の電源が再び投入され、復旧処理に入る前に復旧処理に掛かる時間を表示でき、これにより、ユーザは復旧処理にどれくらいの時間を要するかが前もって知ることができ、また、復旧処理中にプログレスバーのバー表示が止まった場合でも、復旧残時間の表示を見れば、復旧の処理中であるかが分かり、これにより、復旧処理を行っているにもかかわらず、ユーザから見れば、復旧処理が途中で停止したと勘違いして、装置の電源をオフするようなことがなくなり、装置を復旧させることができなくなることを防止することができる。
【００２１】
また、復旧時間が所定時間以上である場合に復旧には時間が多く掛かると言うメッセージが表示されるので、ユーザは復旧を行いたくない場合には復旧処理を解除するかどうかの判断が付き易くなる。また、復旧処理を開始させた後、復旧ができなかった場合には、復旧ができないと言うメッセージが表示されるので、ユーザは、当該装置は復旧ができないことを知ることができ、無駄な時間待ちを防ぐことができる。
【００２２】
また、本発明によれば、光ディスクにデータをＥＣＣブロック単位で記録しているときに、データが記録された記録済みセクタのアドレス情報と、記録済みセクタまでの記録時間を示す記録時間情報とを不揮発性メモリに格納するアドレス・記録時間情報格納手段と、記録の際中に電源が遮断され、再び電源が投入されて、再度、光ディスクをローディングし直したときに、前記不揮発性メモリから電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、前記算出された復旧時間を表示手段に表示させる復旧時間表示手段と、復旧させる操作がされたときに復旧処理を開始させる復旧処理開始手段と、復旧処理が開始された後、復旧処理過程で復旧処理が済んだ記録済みセクタのアドレス情報に対応した記録時間情報を前記不揮発性メモリから読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、前記算出された復旧残時間を表示手段に表示させる復旧残時間表示手段と、を有するシステムコントローラを備えたので、停電などにより装置の電源が突然遮断した場合に、装置の電源が再び投入され、復旧処理に入る前に復旧処理に掛かる時間を表示でき、これにより、ユーザは復旧処理にどれくらいの時間を要するかが前もって知ることができ、また、復旧処理中にプログレスバーのバー表示が止まった場合でも、復旧残時間の表示を見れば、復旧の処理中であるかが分かり、これにより、復旧処理を行っているにもかかわらず、ユーザから見れば、復旧処理が途中で停止したと勘違いして、装置の電源をオフするようなことがなくなり、装置を復旧させることができなくなることを防止することができる。
【発明を実施するための最良の形態】
【００２３】
以下、添付図面を参照しつつ、本発明の実施の形態について説明する。図１は本発明の一実施形態に係る光ディスク記録再生装置の構成を示すブロック図である。
【００２４】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。スレッド３、サーボ制御部４、モータ駆動回路３５、および下記ＲＦアンプ６は、フロントエンド３５を構成している。
【００２５】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２６】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２７】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２８】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２９】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧ（Moving Picture Experts Group）でエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３０】
システムコントローラ２２は、装置の記録系の構成要素を制御して記録動作を行わせる記録制御部２２１と、装置の再生系の構成要素を制御して再生動作を行わせる再生制御部２２２と、記録制御部２２１および再生制御部２２２を制御するバックエンド（バックエンドプロセッサ）２２０とを備えている。
【００３１】
バックエンド２２０は、光ディスク１にデータをＥＣＣブロック単位で記録しているときに、データが記録された記録済みセクタのアドレス情報と、記録済みセクタまでの記録時間を示す記録時間情報とをフラッシュＲＯＭ２３に格納するアドレス・記録時間情報格納手段と、記録の際中に電源が遮断され、再び電源が投入されて、再度、光ディスク１をローディングし直したときに、フラッシュＲＯＭ２３から電源遮断直前の記録済みセクタのアドレス情報に対応した記録時間情報を読み出し、記録時間と復旧時間との関係を示す時間テーブルを参照して、前記読み出した記録時間情報に対応する復旧時間を算出する復旧時間算出手段と、前記算出された復旧時間をディスプレイ装置２０に表示させる復旧時間表示手段と、前記復旧時間が所定時間以上である場合に復旧には時間が多く掛かると言うメッセージをディスプレイ装置２０に表示させる第１のメッセージ表示手段と、復旧させる操作がされたときに復旧処理を開始させる復旧処理開始手段と、復旧処理が開始された後、復旧処理過程で復旧処理が済んだ記録済みセクタのアドレス情報に対応した記録時間情報をフラッシュＲＯＭ２３から読み出し、前記時間テーブルを参照して前記読み出した記録時間情報に対応する復旧時間を復旧経過時間とし、前記復旧時間算出手段で算出された復旧時間から前記復旧経過時間を引いて復旧残時間を算出する復旧残時間算出手段と、前記算出された復旧残時間をフラッシュＲＯＭ２３に表示させる復旧残時間表示手段と、復旧処理が開始された後、復旧ができなかった場合に、復旧ができないと言うメッセージをディスプレイ装置２０に表示させる第２のメッセージ表示手段とを有する。
【００３２】
この種の光ディスク記録再生装置においては、システムコントローラ２２によりセクタの単位で指定された光ディスク１上のアドレスのデータを光ピックアップ２により読み取り、エラー訂正コードによりデータのエラー訂正を行っている。そして、エラー訂正が可能であれば、訂正されたデータをシステムコントローラ２２のバックエンド２２０に返し、訂正に失敗した場合は再度同じアドレスのデータを光ディスク１から読み出してエラー訂正を試みる、所謂リトライを実行する。このリトライは、規定回数を限度に繰り返され、それまでに正しいデータが得られなかった場合は、エラー訂正不能をシステムコントローラ２２のバックエンド２２０に通知する。
【００３３】
データのエラー訂正は、ＥＣＣブロックと呼ばれる単位で実行される。このＥＣＣブロックは、例えば、図２に示すように通常１６個のセクタｂ１〜ｂ１６で構成されている。したがって、システムコントローラ２２のバックエンド２２０から、或るセクタの転送が要求された場合、光ディスク記録再生装置は、そのセクタが属するＥＣＣブロックを構成する全てのセクタデータを光ディスク１から読出してエラー訂正を行い、エラー訂正できたならば、エラー訂正後のデータの内の要求されたセクタのデータのみをシステムコントローラ２２のバックエンド２２０に転送し、エラー訂正ができなかった場合は、その旨をシステムコントローラ２２のバックエンド２２０に通知する。
【００３４】
光ディスク記録再生装置では、光ディスク１の情報を再生する場合、例えば１６個のセクタを一塊（１ＥＣＣ）として読み出している。例えば、図３に示すように、光ディスク記録再生装置は、ストリームデータ４１の一部分とナビゲーションデータ４２とストリームデータ４３の一部分とを含むＥＣＣブロック４６、ストリームデータ４３の大部分を含むＥＣＣブロック４７、ストリームデータ４３の一部分とナビゲーションデータ４４とストリームデータ４５の一部分とを含むＥＣＣブロック４８などのように１ＥＣＣブロック単位で光ディスク１に対して情報を書き込んだり、情報を読み出したりする。
【００３５】
通常、ナビゲーションデータ（ナビゲーションパックとも言う）には、ＰＣＩ（プレゼンテーション・コントロール・インフォメーション）のデータおよびＤＳＩ（データ・サーチ・インフォメーション）のデータが含まれている。ＤＳＩにはシームレス再生のための情報が含まれており、その情報にはアングル情報、ＶＯＢＵ（ビデオ・オブジェクト・ユニット）の前後関係を示すアドレス情報などが含まれる。
【００３６】
図４は本実施形態において復旧時間とプログレスバーがディスプレイ装置に表示された一例を示す図である。図４（ａ），（ｂ）において、ディスプレイ装置の表示画面２０１には、復旧処理（リペアリング動作）の進捗状況を示すプログレスバー２０２がパーセント表示されている。図４（ａ）では、復旧処理が開始される前の表示画面２０１を示し、プログレスバー２０２は、復旧処理が開始されていない状態を示し、また、復旧処理が開始された場合、復旧に要する時間である復旧時間が約２０分かかると言う表示がされている。図４（ｂ）では、復旧処理が開始された後の表示画面２０１を示し、プログレスバー２０２は、復旧処理の進捗状況を示す。どこまで復旧したかは、プログレスバー２０２の斜線部分で示されている。また、この時の復旧時間の残り時間が、例えば約３分であることが示されている。
【００３７】
図５は、本実施形態において光ディスク記録再生装置が記録動作を行っている際中に装置の電源が停電などにより突然遮断され、その後、電源を入れ直した場合に行われる復旧処理を説明するためのフローチャートである。このフローチャートおよび図１〜図４を参照して光ディスク記録再生装置が記録動作を行っている際中に装置の電源が停電などにより突然遮断され、その後、電源を入れ直した場合に行われる復旧処理について説明する。
【００３８】
ここでは、例えば、外部の映像音声出力機器からの情報を光ディスク１に記録している際中に、光ディスク記録再生装置の電源が突然遮断された場合を想定する。情報を記録すべき光ディスク１が光ディスク記録再生装置に挿入され、リモコン２１による記録操作または記録予約（録画予約）による記録開始時刻になって記録開始の指示がシステムコントローラ２２に対して行われたときに（ステップＳ１）、システムコントローラ２２の記録制御部２２１は、光ディスク１に対する記録処理を行う（ステップＳ２）。
【００３９】
光ディスク１に対する記録処理は、図２および図３において説明したように、ＥＣＣブロック単位で記録しているので、データが記録されていくと、システムコントローラ２２におけるバックエンド２２０のアドレス・記録時間情報格納手段は、データが記録された記録済みセクタ（データが記録されたセクタ）のアドレス情報と、記録済みセクタまでの記録時間を示す記録時間情報とをフラッシュＲＯＭ２３に格納していく（ステップＳ３）。
【００４０】
そして、記録が終了していない間に（ステップＳ４）、停電などにより光ディスク記録再生装置の電源が突然遮断されると（ステップＳ５）、光ディスク記録再生装置は動作が停止する。電源が遮断しても、フラッシュＲＯＭ２３には、アドレス情報と記録時間情報が保持されているので、次に述べる復旧時間の算出のために、それらの情報を用いることができる。
【００４１】
電源が突然遮断された後、電源が再び投入されると、システムコントローラ２２は、電源が投入されたことを検知し（ステップＳ６）、再度、光ディスク１をローディングし（ステップＳ７）、光ディスク１を立ち上げる。そして、システムコントローラ２２は、光ディスク１のディスク管理情報が正しく書き込まれているか否かを調べることにより、復旧処理が必要であるか否かを判定する（ステップＳ８）。所望の情報の記録が終了して、ディスク管理情報が正しく書き込まれている場合には、復旧処理を行う必要がないので、通常の処理（記録や再生などの操作待ち状態）に移る（ステップＳ１９）。
【００４２】
所望の情報の記録が途中で終了して、ディスク管理情報が書き込まれていない場合は、復旧処理を行う必要があるので、システムコントローラ２２は、復旧処理に移る前処理に入る。先ず、システムコントローラ２２の復旧時間算出手段は、フラッシュＲＯＭ２３から記録済みセクタのアドレス情報に対応した記録時間情報を読み出し、記録時間と復旧時間との関係を示す時間テーブルを参照して、前記読み出した記録時間情報に対応する復旧時間を算出する（ステップＳ９）。
【００４３】
即ち、復旧時間は、電源が突然遮断された直前の記録済みセクタまでの記録時間に対応した時間であり、その記録済みセクタまで復旧処理を行うのに要する復旧時間であるので、この復旧時間は装置の処理速度によって変わるので、記録時間と復旧時間との関係を予め調べ、この関係の時間テーブルをフラッシュＲＯＭ２３に記憶しておけば、この時間テーブルを参照することにより、復旧時間を算出するこができる。例えば、図６に示すように、復旧時間（２０分）は、電源が突然遮断された直前の記録済みセクタまでの記録時間に対応した時間であって、その記録済みセクタまで復旧処理を行うのに要する復旧時間（復旧開始時点から復旧完了時点までの時間）である。
【００４４】
このような処理により、復旧時間が算出された後、システムコントローラ２２におけるバックエンド２２０の復旧時間表示手段は、前記算出された復旧時間のデータを受け取り、このデータをＯＳＤ回路３６でＯＳＤ処理し、ビデオエンコーダ１８を介してディスプレイ装置２０に供給することにより、例えば、図４（ａ）に示すように、ディスプレイ装置２０の表示画面２０１に復旧時間がプログレスバー２０２と共に表示される（ステップＳ１０）。次に、システムコントローラ２２におけるバックエンド２２０の第１のメッセージ表示手段は、復旧時間が所定時間以上（例えば３０分以上）である場合には（ステップＳ１１）、復旧には時間が多く掛かるので、復旧には時間が掛かる（時間が多く掛かる）と言うメッセージをディスプレイ装置２０の表示画面２０１に表示させる（ステップＳ１２）。このメッセージの表示は、復旧時間の表示と共に表示させても良い。
【００４５】
このように、復旧時間などがディスプレイ装置２０の表示画面２０１に表示された後、リモコン２１により復旧操作がされると（ステップＳ１３）、システムコントローラ２２におけるバックエンド２２０の復旧処理開始手段は、復旧処理を開始させる（ステップＳ１４）。復旧処理が実行されると、システムコントローラ２２におけるバックエンド２２０の復旧残時間算出手段は、復旧処理過程で復旧処理が済んだ記録済みセクタのアドレス情報に対応した記録時間情報をフラッシュＲＯＭ２３から読み出し、前記時間テーブルを参照して前記読み出した記録時間情報に対応する復旧時間を復旧経過時間とし、前記復旧時間算出手段でされた復旧時間から前記復旧経過時間を引いて復旧残時間を算出する（ステップＳ１５）。例えば、図６に示すように、復旧残時間（５分）は、復旧時間（２０分）から復旧経過時間（１５分）を引いた時間である。このようにして復旧残時間が算出された後、システムコントローラ２２におけるバックエンド２２０の復旧残時間表示手段は、前記算出された復旧残時間をディスプレイ装置２０の表示画面２０１に表示させる（ステップＳ１６）。
【００４６】
復旧処理が実行され、復旧ができた場合は（ステップＳ１７）、本処理は終了するが、復旧ができなかった場合には（ステップＳ１７）、システムコントローラ２２におけるバックエンド２２０の第２のメッセージ表示手段は、復旧ができないと言うメッセージをディスプレイ装置２０に表示させる（ステップＳ１８）。
【００４７】
復旧できなくなる原因としては、ＥＣＣブロック単位でデータを記録しなければならないが、１つのＥＣＣブロック内の途中のセクタで記録データが終っている場合に、データが記録されていないセクタにデータを書き込もうとするが、当該セクタに傷が入っていたり、突然の電源遮断からの電源復帰によりトラッキングサーボやフォーカスサーボなどのサーボ系が不安定になったりしていて、当該セクタにデータを書き込むことができない場合に、復旧ができなくなる。このように復旧ができなくなる場合に、復旧ができないと言うメッセージがディスプレイ装置２０に表示されることになる。
【００４８】
以上説明したように本実施形態によれば、停電などにより装置の電源が突然遮断した場合に、装置の電源が再び投入され、復旧処理に入る前に復旧処理に掛かる時間を表示できるようにしたので、ユーザは復旧処理にどれくらいの時間を要するかが前もって知ることができ、また、復旧処理中にプログレスバーのバー表示が止まった場合でも、復旧残時間の表示を見れば、復旧の処理中であるかが分かり、これにより、復旧処理を行っているにもかかわらず、ユーザから見れば、復旧処理が途中で停止したと勘違いして、装置の電源をオフするようなことがなくなり、装置を復旧させることができなくなることを防止することができる。
【００４９】
また、復旧時間が所定時間以上である場合に復旧には時間が多く掛かると言うメッセージが表示されるので、ユーザは復旧を行いたくない場合には復旧処理を解除するかどうかの判断が付き易くなる。また、復旧処理を開始させた後、復旧ができなかった場合には、復旧ができないと言うメッセージが表示されるので、ユーザは、当該装置は復旧ができないことを知ることができ、無駄な時間待ちを防ぐことができる。
【産業上の利用可能性】
【００５０】
本発明は、記録動作中に停電などにより電源が突然遮断し、その後、電源が再び投入され、復旧処理に入る前に復旧処理に掛かる時間を表示できると共に、復旧残時間を表示できるようにする機能を、ＤＶＤレコーダなどの光ディスク記録再生装置に利用可能である。
【図面の簡単な説明】
【００５１】
【図１】本発明の一実施形態に係る光ディスク記録再生装置の構成を示すブロック図である。
【図２】前記実施形態においてＥＣＣブロックの構成を示す図である。
【図３】前記実施形態においてＥＣＣブロック単位で記録されたデータの一例を示す図である。
【図４】前記実施形態において復旧時間とプログレスバーがディスプレイ装置に表示された一例を示す図である。
【図５】前記実施形態において光ディスク記録再生装置が記録動作を行っている際中に装置の電源が停電などにより突然遮断され、その後、電源を入れ直した場合に行われる復旧処理を説明するためのフローチャートである。
【図６】前記実施形態において復旧時間と復旧残時間と復旧経過時間との関係を説明するための図である。
【符号の説明】
【００５２】
１    光ディスク
２０    ディスプレイ装置（表示手段）
２２    システムコントローラ
２３    フラッシュＲＯＭ（不揮発性メモリ）
【図１】
2007280501.tif 000003
【図２】
2007280501.tif 000004
【図３】
2007280501.tif 000005
【図４】
2007280501.tif 000006
【図５】
2007280501.tif 000007
【図６】
2007280501.tif 000008